【事件の表示】
　特願２００１−　　３１４１「皮膚用水性化粧料」拒絶査定不服審判事件〔平成１４年　７月２３日出願公開、特開２００２−２０５９１１〕について、次のとおり審決する。
【結　論】
　本件審判の請求は、成り立たない。
【理　由】
１．手続の経緯
　本願は、平成１３年１月１１日の出願であって、平成１９年１２月４日付けで手続補正書が提出され、拒絶理由通知に応答し平成２２年６月７日受付けの手続補正書と意見書が提出されたが、平成２２年６月２２日付けで拒絶査定がなされ、これに対し、平成２２年１０月７日に拒絶査定不服審判が請求され、その審判の請求と同時に手続補正がなされた（以下、当該手続補正を「平成２２年１０月７日受付けの手続補正」、または「本件補正」ともいう。）ものであり、その後、前置報告書を用いた審尋に応答し平成２４年４月５日受付けの回答書が提出されたものである。
　
２．平成２２年１０月７日受付けの手続補正についての補正却下の決定
［補正却下の決定の結論］
　　平成２２年１０月７日受付けの手続補正を却下する。
　
［理由］
（１）補正後の本願発明
　本件補正により、特許請求の範囲は、
　
補正前
　「【請求項１】
２〜３０重量％の多価アルコールおよび０．０５〜１５重量％の増粘剤であって、カルボキシビニルポリマー、カルボキシメチルセルロースナトリウムおよびベントナイトから選択されるものを含有する皮膚用水性化粧料に、平均粒径０.１〜５００μｍのオイル液滴中に平均粒径０．０５〜１００μｍの架橋シリコーン粒子を含有する水性エマルジョンを該エマルジョン中のオイルと架橋シリコーン粒子の合計重量として、皮膚用水性化粧料中の０．５〜７０重量％となる量添加したことを特徴とする皮膚用水性化粧料。
【請求項２】
多価アルコールがグリセリン、プロピレングリコール、ブチレングリコール、およびソルビトールからなる群より選択される少なくとも１種であることを特徴とする、請求項１記載の皮膚用水性化粧料。
【請求項３】
増粘剤がベントナイトを含有することを特徴とする、請求項１記載の皮膚用水性化粧料。」から、
　
補正後
　「【請求項１】
２〜３０重量％の多価アルコールおよび０．０５〜１５重量％の増粘剤であって、カルボキシビニルポリマー
であるもの
【請求項２】
多価アルコールがグリセリン、プロピレングリコール、ブチレングリコール、およびソルビトールからなる群より選択される少なくとも１種であることを特徴とする、請求項１記載の皮膚用水性化粧料。」
と補正された。
　
　上記補正は、補正前の請求項３を削除するとともに、請求項１，２に係る発明を特定するために必要な事項である増粘剤について、「カルボキシビニルポリマー、カルボキシメチルセルロースナトリウムおよびベントナイトから選択されるもの」を「カルボキシビニルポリマーであるもの」と限定するものであって、平成１８年法律第５５号改正附則第３条第１項によりなお従前の例によるとされる同法による改正前の特許法（以下、単に「平成１８年改正前特許法」ともいう。）第１７条の２第４項第１号の請求項の削除及び同項第２号の特許請求の範囲の減縮を目的とするものに該当する。
　
　そこで、本件補正後の特許請求の範囲が減縮された前記請求項１に係る発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）引用例 
　原査定の拒絶理由に引用された本願出願前の刊行物である特開２０００−２８１５２３号公報（以下、「引用例１」という。）、特開平１−２５０３０５号公報（以下、「引用例２」という。）、特開平５−２６２６３４号公報（以下、「引用例３」という。）には、次のことが記載されている。なお、下線は当審で付与した。
　
［引用例１］
　（1-i）「【請求項１】
水中に分散している平均粒径０．１〜５００μｍのシリコーンオイルまたは有機オイルの液滴中に、平均粒径０．０５〜１００μｍの架橋シリコーン粒子(但し、架橋シリコーン粒子の粒径はシリコーンオイルまたは有機オイルの液滴の粒径より小さい。)を含有しているシリコーンオイルまたは有機オイルのエマルジョンからなる化粧品原料
【請求項２】〜【請求項９】・・略・・
【請求項１０】
請求項１乃至６のいずれか１項に記載の化粧品原料と他の化粧品原料とからなる化粧品
【請求項１１】
皮膚化粧品
【請求項１２】〜【請求項１４】・・略・・」（【特許請求の範囲】参照）
　（1-ii）「【０００７】
【発明が解決しようとする課題】・・・中略・・・。すなわち、本発明の目的は、化粧品中にシリコーンオイルまたは有機オイルと架橋シリコーン粒子を均一に分散させることができる化粧品原料、この化粧品原料と他の化粧品原料とからなり、
シリコーンオイルまたは有機オイルと架橋シリコーン粒子を均一に分散し、指や肌への感触、伸び、および使用感が良好であり、
　（1-iii）「【００３４】次に、本発明の化粧品を詳細に説明する。本発明の化粧品は、上記のシリコーンオイルまたは有機オイルのエマルジョンからなる化粧品原料と他の化粧品原料からなることを特徴とする。本発明の化粧品の類型としては、
石鹸、ボディシャンプー、洗顔クリーム等の洗浄用化粧品、化粧水、クリーム・乳液、パック等の基礎化粧品；おしろい、ファンデーション等のベースメークアップ化粧品、口紅、ほほ紅、アイシャドー、アイライナー、マスカラ等の眉目化粧品、マニキュア等のメークアップ化粧品；
香水、オー・デ・コロン等の芳香性化粧品；歯磨き；浴用剤；脱毛剤、髭剃り用ローション、制汗・消臭剤、日焼け防止剤等の特殊化粧品が例示され、
　（1-iv）「【００３５】この化粧品は、上記の架橋シリコーン粒子を含有するシリコーンオイルまたは有機オイルのエマルジョンからなる化粧品原料と他の化粧品原料からなるが、この化粧品原料としては、・・・・・（中略）・・・・・；
グリセリン、プロピレングリコール、１，３−ブチレングリコール、ポリエチレングリコール、ｄ，ｌ−ピロリドンカルボン酸ナトリウム、乳酸ナトリウム、ソルビトール、ヒアルロン酸ナトリウム等の保湿剤
カラギーナン、アルギン酸、アラビアゴム、トラガント、ペクチン、デンプン、キサンタンガム、ポリビニルアルコール、ポリビニルピロリドン、ポリアクリル酸ソーダ、ポリエチレングリコール等の増粘剤
　（1-v）「【００４０】また、この毛髪化粧品が水系である場合には、精製水等の水の他に、分散安定化、あるいは整髪のためにキサンタンガム、グアーガム、カルボキシメチルセルロース、ポリビニルアルコール、ポリビニルピロリドン、
カルボキシビニルポリマー
　（1-vi）「【００４１】本発明の化粧品において、上記のような
シリコーンオイルまたは有機オイルのエマルジョンからなる化粧品原料の配合量は、その水分以外の成分換算(固形分換算)として、化粧品中の０.１〜９９.９重量％であることが好ましく、特に、０.５〜９９重量％の範囲内であることが好ましい
　（1-vii）「【００４４】次に、本発明の化粧品の製造方法を詳細に説明する。本発明の製造方法は、
上記のシリコーンオイルまたは有機オイルのエマルジョンからなる化粧品原料を他の化粧品原料と配合する
　
［引用例２］
　（2-i）「１．
架橋型ポリアクリル系増粘剤を含有する水相に、高粘性シリコーンもしくはオルガノポリシロキサン樹脂及び低粘度シリコーン油からなるシリコーン組成物を小球状に分散せしめた化粧料用組成物。
　（2-ii）「本発明は、
界面活性剤を使用せずに、
べたつきがなく、さっぱりした感触を有し、使用感の良好な化粧料を製造する
　（2-iii）「斯かる実情において、本発明者は鋭意研究を行った結果、
架橋型ポリアクリル系増粘剤を含有する水相に特定のシリコーン組成物を分散させれば上記目的が達成される
　（2-iv）「本発明において、架橋型ポリアクリル系増粘剤としてはアルカリ剤で中和することによつてゲルを形成する、所謂水溶性アルカリ増粘型ポリマーと称せられるものが利用でき、例えばアクリル酸もしくはメタクリル酸の重合体又は共重合体、
カルボキシビニルポリマー
　（2-v）「架橋型ポリアクリル系増粘剤の水相への添加量は、水相の粘度が６０００〜２００万ｃｓの範囲となるような量が好ましい。斯かる目的のためには、架橋型ポリアクリル系増粘剤は、その種類によっても異なるが
、最終製品に対して０．１〜２．０重量％になるように添加するのが好ましい。当該増粘剤の量がこれより少ないと油相の分散安定性が不充分であり
　（2-vi）「本発明の化粧料用組成物は、水相及び油相のシリコーン組成物をそれぞれ調製し、これを機械的に混合して、水相中にシリコーン組成物を小球状に分散させることにより製造される。この場合、
水相とシリコーン組成物の混合割合は９９．５対０．５〜７０対３０（重量）が好ましい。
　（2-vii）「実施例２　
美容液
　（処方）　　　　　　　　　　　　　　　　実施例２　　　　比較例１
　　　　　　　　　　　　　　　　　　　　　　　（％）　　　　　（％）
（１）ポリアクリル酸ナトリウム　　　　　　０．０６　　　　　０．０６
（２）
カルボキシビニルポリマー　　　　　　０．２　　　　　　０．２
（３）
グリセリン　　　　　　　　　　　　１３．０　　　　　１３．０
（４）
１，３−ブチレングリコール　　　　　７．０　　　　　　７．０
（５）水酸化ナトリウム　　　　　　　　　　０．０４　　　　　０．０４
（６）加水分解コラーゲン　　　　　　　　　０．１　　　　　　０．１
（７）防腐剤　　　　　　　　　　　　　　　　適量　　　　　　　適量
（８）精製水　　　　　　　　　　　　　　　　残量　　　　　　　残量
（９）
オルガノポリシロキサン樹脂（実施例１の
　　　
シリコーンコンパウンドと同じ）
（１０）オクタメチルテトラシクロシロキサン　０．４　　　　　０．４
（１１）香料　　　　　　　　　　　　　　　０．１　　　　　　０．１
（１２）ポリオキシエチレン（２０Ｅ．Ｏ．）ポリオキシプロピレン
　　（８Ｅ．Ｏ．）セチルエーテル　　　　　　−　　　　　　　０．５
　水相及び油相とも予じめ均一に混合して調製後、水相中に油相を撹拌しながら添加して製造した。得られた化粧料は、実施例２の場合、粒径約１ｍｍ程度の小球状油滴が分散した状態を呈し、比較例１の場合、微白濁した状態であった。
・・・・・（中略）・・・・・
　実施例３　
化粧水
　（処方）　　　　　　　　　　　　　　　　　　　　　　（％）
（１）
カルボキシビニルポリマー　　　　　　　　　　　０．１５
（２）
グリセリン　　　　　　　　　　　　　　　　　　６．７５
（３）水酸化ナトリウム　　　　　　　　　　　　　　　０．０３
（４）防腐剤　　　　　　　　　　　　　　　　　　　　適量
（５）精製水　　　　　　　　　　　　　　　　　　　　残量
（６）
部分架橋型オルガノポリシロキサン樹脂
　　
（実施例１と同じ）
（７）ジメチルポリシロキサン（６ｃｓ）　　　　　　　２．２５
　水相〔成分（１）〜（５）〕と液相〔成分（６）〜（７）〕とを均一混合して予じめ調製後、水相中に油相を撹拌しながら添加し、粒径１．５〜２ｍｍ程度の小球状油分散タイプの化粧水を得た。」（第８頁右下欄１行〜第９頁右上欄１２行参照）
　
［引用例３］
　（3-i）「【請求項１】下記（Ａ）で表される有機シリコーン樹脂と、常圧における沸点が２６０℃以下の揮発性炭化水素油及び／又は揮発性シリコーン油と紫外線吸収剤と
水溶性高分子
日焼け止め化粧料。
　（3-ii）「【０００６】
【発明が解決しようとする課題】そこで本発明者らは上記のような問題に鑑み、
シリコン樹脂の凝集を防止し、この乳化系の安定性を向上するべく種々の検討を行った結果、水溶性高分子を配合し均一分散させると、系の安定性が向上し、
　（3-iii）「【００１２】本発明においては、上記
有機シリコン樹脂の
【００１３】
配合量としては、１〜２０重量％であり、好ましくは、５〜１０重量％である。
　（3-iv）「【００２２】本発明に用いられる
水溶性高分子
配合量としては、０．１〜５重量％である。
　
（３）対比、判断                      
　引用例１には、上記「（２）」の［引用例１］での摘示の記載からみて、次の発明（以下、「引用例１発明」という。）が開示されている（摘示（1-i）の請求項１、１０、１１参照）。
＜引用例１発明＞
　「水中に分散している平均粒径０．１〜５００μｍのシリコーンオイルまたは有機オイルの液滴中に、平均粒径０．０５〜１００μｍの架橋シリコーン粒子(但し、架橋シリコーン粒子の粒径はシリコーンオイルまたは有機オイルの液滴の粒径より小さい。)を含有しているシリコーンオイルまたは有機オイルのエマルジョンからなる化粧品原料と、他の化粧品原料とからなる皮膚化粧品。」
　
　そこで、本願補正発明と引用例１発明を対比する。
　（ａ）引用例１発明の化粧品原料である「エマルジョン」は、水中にシリコーンオイルまたは有機オイルの液滴が分散しているものであることから、「水性エマルジョン」と言うことができる。
　（ｂ）本願補正発明では、「皮膚用水性化粧料」の用語が３箇所用いられているが、１箇所目の「皮膚用水性化粧料」は、「水性エマルジョン」を添加する対象となるものであり、一種の化粧品原料とも言えるものであり、該添加した結果として得られる２箇所目と３箇所目の商品（化粧品）としての「皮膚用水性化粧料」とは区別されるべきものと言える。かかる判断を前提に、次の対応関係が理解できる。
　引用例１発明の「皮膚化粧品」は、本願補正発明の末尾の用語の「皮膚用水性化粧料」に対応し、両者は、「皮膚用化粧料」で一致する。
　そして、引用例１発明の「他の化粧品原料」が「皮膚化粧品」の原料と言えること、及び、引用例１における化粧品の類型の記載（摘示（1-iii）参照）や、化粧品原料の具体例の記載（摘示（1-iv）参照）からみて、引用例１発明の「他の化粧品原料」は、本願補正発明の水性エマルジョンを添加する対象となる「皮膚用水性化粧料」（本願補正発明の表現で最初に用いられる「皮膚用水性化粧料」）に対応し、両者は、「皮膚用化粧料」で一致する。
　（ｃ）「シリコーンオイルまたは有機オイルのエマルジョンからなる化粧品原料を他の化粧品原料と配合する」（摘示（1-vii）参照）ことには、他の化粧品原料にエマルジョンを「添加」する態様も含まれるものと認められる。
　
　してみると、両発明は、本願発明の表現を借りて表すと、
　「皮膚用化粧料に、平均粒径０．１〜５００μｍのオイル液滴中に平均粒径０．０５〜１００μｍの架橋シリコーン粒子を含有する水性エマルジョンを添加した、皮膚用化粧料」
で一致し、次の相違点Ａ、Ｂで相違している。
　
＜相違点＞
　Ａ．「皮膚用化粧料」について、本願補正発明では、「水性」で、かつ、「２〜３０重量％の多価アルコールおよび０．０５〜１５重量％の増粘剤であって、カルボキシビニルポリマーであるもの」を含有しているのに対し、引用例１発明では、「他の化粧品原料」とあるのみで、そのように特定されていない点
　Ｂ．「水性エマルジョン」の添加量について、本願補正発明では、「該エマルジョン中のオイルと架橋シリコーン粒子の合計重量として、皮膚用水性化粧料中の０．５〜７０重量％となる量」と特定されているのに対して、引用例１発明ではそのように特定されていない点
　
　そこで、これらの相違点について検討する。
（ｉ）相違点Ａについて
　引用例１には、「他の化粧品原料」としてさまざまな物質が挙げられており、「グリセリン、プロピレングリコール、１，３−ブチレングリコール、ポリエチレングリコール、ｄ，ｌ−ピロリドンカルボン酸ナトリウム、乳酸ナトリウム、ソルビトール、ヒアルロン酸ナトリウム等の保湿剤」や、「カラギーナン、アルギン酸、アラビアゴム、トラガント、ペクチン、デンプン、キサンタンガム、ポリビニルアルコール、ポリビニルピロリドン、ポリアクリル酸ソーダ、ポリエチレングリコール等の増粘剤」などが例示されている（摘示（1-iv）参照）。また、毛髪化粧品についてではあるが、水系の場合には分散安定化のために「カルボキシビニルポリマー」等の水溶性高分子を配合することについても記載されている（摘示（1-v）参照）。
　一般に、「カルボキシビニルポリマー」等の水溶性高分子を化粧品に配合することは常套手段として知られており、皮膚用製品においても使用感、増粘、保湿性等の機能を与えるために水溶性高分子を配合することが知られ（例えば、代表・関根茂、編集者・蔵多淑子 外４名、「化粧品ハンドブック」、日光ケミカルズ株式会社 外２社、平成８年１１月１日発行、第１０９頁右欄の「カルボキシビニルポリマー」の項、第１１０頁の表１１．４を参照）、引用例２及び３にも皮膚用化粧品にこのような水溶性高分子を配合することが記載されている（摘示（2-iii）（2-iv）（2-vii）（3-ii）（3-iv）等を参照）。また、多価アルコールも、保湿剤等として皮膚用化粧品に常用される成分であって、例えば、引用例２に記載されている、シリコーン組成物を小球状に分散させた化粧料用組成物においても、増粘剤である「カルボキシビニルポリマー」とともに、多価アルコールを配合した美容液あるいは化粧水が記載されている（摘示（2-vii）参照）。
　本願出願前周知のこれらの技術的事項を勘案すると、引用例１発明において皮膚化粧品を水性とし、例示されている「他の化粧品原料」の中から多価アルコールや増粘剤を選択し、かつ増粘剤の中でも広く用いられている水溶性高分子の「カルボキシビニルポリマー」を用いることは、当業者であれば容易に想到できたものである。また、本願発明において特定されている多価アルコール及びカルボキシビニルポリマーの含有量は、本願明細書段落【０００８】や【００１０】を見る限り、保湿剤や増粘剤としての機能を発現する最適範囲を示しているにすぎないもので、引用例１発明においても、例えば引用例２の実施例に記載されているような美容液や化粧水に用いられている多価アルコールやカルボキシビニルポリマーの含有量（摘示（2-vii）参照）や、架橋型ポリアクリル系増粘剤の含有量の範囲（摘示（2-v）参照）、あるいは引用例３に記載されている増粘剤としての水溶性高分子の含有量の範囲（摘示（3-iv）参照）等を参照し、これらと同程度の配合量の範囲について検討したうえで、それぞれ「２〜３０重量％」、「０．０５〜１５重量％」という最適な範囲を見いだすことは、当業者であれば容易になし得たことであると認められる。
　
（ｉｉ）相違点Ｂについて
　引用例１には、「本発明の化粧品において、上記のようなシリコーンオイルまたは有機オイルのエマルジョンからなる化粧品原料の配合量は、その水分以外の成分換算(固形分換算)として、化粧品中の０.１〜９９.９重量％であることが好ましく、特に、０.５〜９９重量％の範囲内であることが好ましい。」と記載されており（摘示（1-vi）参照）、また、引用例１発明の架橋シリコーン粒子とは異なるものの、シリコーン粒子を含む皮膚用化粧料が記載されている引用例２においては、水相とシリコーン組成物の混合割合が「９９．５対０．５〜７０対３０（重量）」（摘示（2-vi）参照）、同じく引用例３においては配合量が「１〜２０重量％」（摘示（3-iii）参照）と、それぞれ適当な範囲が特定されていることを考慮すると、引用例１発明において特定されている「０．５〜９９重量％」という広い範囲から、「０．５〜７０重量％」というやや狭い範囲に特定する程度のことは、当業者が実験等によって適宜なし得ることにすぎない。
　
　以上のとおりであり、上記相違点Ａ、Ｂに係る本願発明の発明特定事項を併せ採用することも当業者が容易になし得たことであり、それによって格別予想外の作用効果を奏しているとも認められない。
　
　ところで、請求人は、意見書、審判請求書、審尋に応答した回答書において、本願補正発明は、「水性皮膚化粧料の貯蔵安定性の改善だけでなく、使用感（特に、「のびの軽さ」等の具体的な特性）の改善を達成するもの」として、特に増粘剤（カルボキシビニルポリマー）を配合することにより、これらの特性を改善することができた旨を繰り返し主張している。
　しかしながら、引用例１発明においても、「本発明の目的は、化粧品中にシリコーンオイルまたは有機オイルと架橋シリコーン粒子を均一に分散させることができる化粧品原料、この化粧品原料と他の化粧品原料とからなり、シリコーンオイルまたは有機オイルと架橋シリコーン粒子を均一に分散し、指や肌への感触、伸び、および使用感が良好であり、また、ハネ毛や浮き毛、もつれやからまりを防止し、髪をまとまり易くできるとともに、べたつきのないさらさら感を付与できる化粧品、およびこのような化粧品を効率よく製造する方法を提供することにある。」（摘示（1-ii）参照）として、シリコーンオイルまたは有機オイルと架橋シリコーン粒子が均一に分散されている化粧品が、指や肌への感触、伸び、および使用感が良好であることがすでに開示されている。また、本願明細書を精査しても、増粘剤（カルボキシビニルポリマー）それ自体が、使用感（特に、「のびの軽さ」等の具体的な特性）を与えるものであるという根拠を見出すことはできず、本願補正発明においては増粘剤（カルボキシビニルポリマー）を配合することにより、粒子の分散安定性が向上し、その結果シリコーンオイルまたは有機オイルと架橋シリコーン粒子が均一に分散されている化粧品が本来有している指や肌への感触、伸び、および使用感がさらに向上したとみるのが妥当である。そして増粘剤を配合することにより、粒子の分散安定性が向上することは、引用例２、３にも記載されているように（摘示（2-v）（3-ii）参照）、本願出願前広く知られていることであるから、増粘剤（カルボキシビニルポリマー）を配合することによる予想外の効果が得られたものとも認められず、請求人の上記の主張は、これを認めることができない。
　
　したがって、本願補正発明は、引用例１〜３の記載及び本願出願前周知の技術的事項を勘案し、引用例１発明に基づいて当業者が容易に発明をすることができたものであるから、特許法第２９条第２項の規定により特許出願の際独立して特許を受けることができないものである。
　
（４）むすび
　以上のとおり、本件補正は、平成１８年改正前特許法第１７条の２第５項において準用する同法第１２６条第５項の規定に違反するので、同法第１５９条第１項の規定において読み替えて準用する同法第５３条第１項の規定により却下されるべきものである。
　
３．本願発明について
　平成２２年１０月７日受付けの手続補正は、上記のとおり却下されたので、本願の請求項１〜３に係る発明は、平成２２年６月７日受付けの手続補正書の特許請求の範囲の請求項１〜３に記載された事項により特定されるのもと認められるところ、そのうち請求項１に係る発明（以下、同項記載の発明を「本願発明」という。）は、以下のとおりのものである。
　「【請求項１】
２〜３０重量％の多価アルコールおよび０．０５〜１５重量％の増粘剤であって、カルボキシビニルポリマー、カルボキシメチルセルロースナトリウムおよびベントナイトから選択されるものを含有する皮膚用水性化粧料に、平均粒径０.１〜５００μｍのオイル液滴中に平均粒径０．０５〜１００μｍの架橋シリコーン粒子を含有する水性エマルジョンを該エマルジョン中のオイルと架橋シリコーン粒子の合計重量として、皮膚用水性化粧料中の０．５〜７０重量％となる量添加したことを特徴とする皮膚用水性化粧料。」
　
（１）引用例
　原査定の拒絶理由に引用される引用例と周知例、およびその記載事項は、前記「２．（２）」に記載したとおりである。
　
（２）対比、判断
　本願発明は、前記「２．」で検討した本願補正発明から、増粘剤についての発明特定事項である「カルボキシビニルポリマーであるもの」を、「カルボキシビニルポリマー、カルボキシメチルセルロースナトリウムおよびベントナイトから選択されるもの」に拡張したものである。
　そうすると、本願発明の発明特定事項を全て含み、発明特定事項である増粘剤をさらに限定したものに相当する本願補正発明が、前記「２．（３）」に記載したとおり、引用例１〜３の記載及び本願出願前周知の技術的事項を勘案し、引用例１発明に基づいて当業者が容易に発明をすることができたものであるから、本願発明も、同様の理由により、引用例１〜３の記載及び本願出願前周知の技術的事項を勘案し、引用例１発明に基づいて、当業者が容易に発明をすることができたものである。
　
（３）むすび
　以上のとおりであるから、本願請求項１に係る発明は、特許法第２９条第２項の規定により特許を受けることができない。
　それ故、本願は、その余の請求項について論及するまでもなく、拒絶すべきものである。
　
　よって、結論のとおり審決する。